【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
断面が複数の角部を有する非円形のねじれた穴を中央部に有する駆動伝達部材と、前記ねじれた穴の中央部に設けられ、接地されている第一導電部材と、を有する電子写真画像形成装置に用いられる電子写真感光体ドラムにおいて、
前記電子写真感光体ドラムの長手方向一端に設けられ、前記ねじれた穴と嵌合するために断面が複数の角部を有する非円形のねじれた突起を中央部に有するフランジ部材と、
前記ねじれた突起の中央部に設けられ、前記電子写真感光体ドラムと電気的に接続しており、前記ねじれた穴と前記ねじれた突起が嵌合した状態で、前記駆動伝達部材が回転することによって前記駆動伝達部材と前記フランジ部材が互いに接近する方向に引き込まれることにより、前記第一導電部材と接触して前記第一導電部材と電気的に接続する第二導電部材と、
前記フランジ部材の内部に係合され、前記第二導電部材を保持している保持部材と、
を有することを特徴とする電子写真感光体ドラム。
【請求項２】
前記保持部材と前記フランジ部材とがそれぞれ凸部と凹部を有し、前記凸部と前記凹部が係合することにより、前記電子写真感光体ドラムの回転方向において前記フランジ部材に対する前記保持部材の移動が規制されることを特徴とする請求項１に記載の電子写真感光体ドラム。
【請求項３】
前記フランジ部材はフランジ引っ掛け部を有し、前記保持部材は長手規制部を有し、前記フランジ引っ掛け部が前記長手規制部と係合することにより、前記電子写真感光体ドラムの回転方向において前記フランジ部材に対する前記保持部材の移動が規制されることを特徴とする請求項１又は請求項２に記載の電子写真感光体ドラム。
【請求項４】
前記第二導電部材は凸形状の引っ掛け部を有し、前記保持部材は凹形状の被引っ掛け部を有し、前記引っ掛け部が前記被引っ掛け部に引っ掛かることにより、前記保持部材に対する前記第二導電部材の移動が規制されることを特徴とする請求項１乃至請求項３の何れかに記載の電子写真感光体ドラム。
【請求項５】
前記第二導電部材は、前記ねじれた突起の中央部に固定された第一接触部と、前記ねじれた突起の中央部とは異なる位置で前記ねじれた突起に対して移動可能な第二接触部と、を有することを特徴とする請求項１乃至請求項４の何れかに記載の電子写真感光体ドラム。
【請求項６】
請求項１から請求項５の何れかに記載の電子写真感光体ドラムを備えたことを特徴とする前記電子写真画像形成装置本体に着脱可能なプロセスカートリッジ。
【請求項７】
請求項１から請求項５の何れかに記載の電子写真感光体ドラムを備えたことを特徴とする電子写真画像形成装置。
【請求項８】
断面が複数の角部を有する非円形のねじれた穴を中央部に有する駆動伝達部材と、前記ねじれた穴の中央部に設けられ、接地されている第一導電部材と、を有する電子写真画像形成装置本体に用いられ、前記ねじれた穴と嵌合するために断面が複数の角部を有する非円形のねじれた突起を中央部に有するフランジ部材と、前記電子写真感光体ドラムと電気的に接続しており、前記ねじれた穴と前記ねじれた突起が嵌合した状態で、前記駆動伝達部材が回転することによって前記駆動伝達部材と前記フランジ部材が互いに接近する方向に引き込まれることにより、前記第一導電部材に接触して前記第一導電部材と電気的に接続する第二導電部材と、前記第二導電部材を保持するための保持部材と、を有する電子写真感光体ドラムのフランジの組立方法において、
前記第二導電部材を前記保持部材に所定の方向から挿入して保持させる第一の工程と、
前記第二導電部材を保持する前記保持部材を、前記所定の方向と同じ方向から前記フランジ部材の内部に挿入して、前記保持部材を前記フランジ部材に係合させる第二の工程と、
を有することを特徴とする電子写真感光体ドラムのフランジの組立方法。
【手続補正２】
【補正対象書類名】明細書
【補正対象項目名】０００１
【補正方法】変更
【補正の内容】
【０００１】
本発明は、電子写真画像形成装置に使用される電子写真感光体ドラム、該電子写真感光体ドラムを備えるプロセスカートリッジ、電子写真画像形成装置に関するものである。また本発明は、電子写真感光体ドラムのフランジの組立方法に関するものである。
【手続補正３】
【補正対象書類名】明細書
【補正対象項目名】０００８
【補正方法】変更
【補正の内容】
【０００８】
本発明の目的は、電子写真画像形成装置の有する接地されている第一導電部材に対し第二導電部材を安定して電気的に接続できるようにした電子写真感光体ドラムを提供することを目的とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
また本発明の目的は、電子写真画像形成装置の有する接地されている第一導電部材に第二導電部材を安定して電気的に接続できるようにした電子写真感光体ドラムを備えたプロセスカートリッジを提供することにある。
【手続補正７】
【補正対象書類名】明細書
【補正対象項目名】００１２
【補正方法】変更
【補正の内容】
【００１２】
また本発明の目的は、電子写真画像形成装置の有する接地されている第一導電部材に第二導電部材を安定して電気的に接続できるようにした電子写真感光体ドラムを備えた電子写真画像形成装置を提供することにある。
【手続補正８】
【補正対象書類名】明細書
【補正対象項目名】００１３
【補正方法】変更
【補正の内容】
【００１３】
また本発明の目的は、電子写真画像形成装置本体の有する接地されている第一導電部材に電気的に接続される第二導電部材と、第二導電部材を保持させる保持部材と、保持部材を係合させるフランジ部材の組み立て性を向上できるようにした電子写真感光体ドラムのフランジの組立方法を提供することにある。
【手続補正９】
【補正対象書類名】明細書
【補正対象項目名】００１４
【補正方法】変更
【補正の内容】
【００１４】
上記の目的を達成するための構成は、断面が複数の角部を有する非円形のねじれた穴を中央部に有する駆動伝達部材と、前記ねじれた穴の中央部に設けられ、接地されている第一導電部材と、を有する電子写真画像形成装置に用いられる電子写真感光体ドラムにおいて、
前記電子写真感光体ドラムの長手方向一端に設けられ、前記ねじれた穴と嵌合するために断面が複数の角部を有する非円形のねじれた突起を中央部に有するフランジ部材と、
前記ねじれた突起の中央部に設けられ、前記電子写真感光体ドラムと電気的に接続しており、前記ねじれた穴と前記ねじれた突起が嵌合した状態で、前記駆動伝達部材が回転することによって前記駆動伝達部材と前記フランジ部材が互いに接近する方向に引き込まれることにより、前記第一導電部材と接触して前記第一導電部材と電気的に接続する第二導電部材と、
前記フランジ部材の内部に係合され、前記第二導電部材を保持している保持部材と、
を有することを特徴とする。
また、上記の目的を達成するための構成は、前記電子写真感光体ドラムを備えたことを特徴とするプロセスカートリッジである。
また、上記の目的を達成するための構成は、前記電子写真感光体ドラムを備えたことを特徴とする電子写真画像形成装置である。
また、上記の目的を達成するための構成は、断面が複数の角部を有する非円形のねじれた穴を中央部に有する駆動伝達部材と、前記ねじれた穴の中央部に設けられ、接地されている第一導電部材と、を有する電子写真画像形成装置本体に用いられ、前記ねじれた穴と嵌合するために断面が複数の角部を有する非円形のねじれた突起を中央部に有するフランジ部材と、前記電子写真感光体ドラムと電気的に接続しており、前記ねじれた穴と前記ねじれた突起が嵌合した状態で、前記駆動伝達部材が回転することによって前記駆動伝達部材と前記フランジ部材が互いに接近する方向に引き込まれることにより、前記第一導電部材に接触して前記第一導電部材と電気的に接続する第二導電部材と、前記第二導電部材を保持するための保持部材と、を有する電子写真感光体ドラムのフランジの組立方法において、
前記第二導電部材を前記保持部材に所定の方向から挿入して保持させる第一の工程と、
前記第二導電部材を保持する前記保持部材を、前記所定の方向と同じ方向から前記フランジ部材の内部に挿入して、前記保持部材を前記フランジ部材に係合させる第二の工程と、
を有することを特徴とする。
【手続補正１０】
【補正対象書類名】明細書
【補正対象項目名】００１５
【補正方法】変更
【補正の内容】
【００１５】
本発明によれば、接地されている第一導電部材に対し第二導電部材を安定して電気的に接続できるようにした電子写真感光体ドラムを提供することができる。
【手続補正１１】
【補正対象書類名】明細書
【補正対象項目名】００１６
【補正方法】変更
【補正の内容】
【００１６】
また本発明によれば、接地されている第一導電部材に対し第二導電部材を安定して電気的に接続できるようにした電子写真感光体ドラムを備えたプロセスカートリッジを提供することができる。
【手続補正１２】
【補正対象書類名】明細書
【補正対象項目名】００１７
【補正方法】変更
【補正の内容】
【００１７】
また本発明によれば、接地されている第一導電部材に対し第二導電部材を安定して電気的に接続できるようにした電子写真感光体ドラムを備えた電子写真画像形成装置を提供することができる。
【手続補正１３】
【補正対象書類名】明細書
【補正対象項目名】００１８
【補正方法】変更
【補正の内容】
【００１８】
また本発明によれば、接地されている第一導電部材と電気的に接続される第二導電部材と、第二導電部材を保持させる保持部材と、保持部材を係合させるフランジ部材の組み立て性を向上できるようにした電子写真感光体ドラムのフランジの組立方法を提供することができる。
【手続補正１４】
【補正対象書類名】明細書
【補正対象項目名】００６４
【補正方法】変更
【補正の内容】
【００６４】
（４）ドラムアース板７１およびアースホルダー７６の接続方法
次に駆動側フランジ部材７２に取り付けられるドラムアース板（第二導電部材）７１およびドラムアース板保持部材（保持部材）（以下、アースホルダーと記す）７６の接続方法に関して、図７〜図１１を参照してより詳しく説明する。
【手続補正１５】
【補正対象書類名】明細書
【補正対象項目名】００７０
【補正方法】変更
【補正の内容】
【００７０】
図８に示されるように、ドラムアース板７１は、接点手段としてアースホルダー７６に形成された平面部７６ｇに支持され、ねじれた突部７２ａの中央部に固定された平面接点部（第一接触部）７１ａと、他の接点手段として曲げ等により成形されたアーム状接点部（第二接触部）７１ｂと、を一体に具備している。アーム状接点部７１ｂは駆動側フランジ部材７２長手方向において平面接点部７１ａよりも突出している。
【手続補正１６】
【補正対象書類名】明細書
【補正対象項目名】００７６
【補正方法】変更
【補正の内容】
【００７６】
更に引き続き回転駆動を入力し、引き込み力Ａ１を発生させることにより、ドラムアース板７１のアーム状接点部７１ｂは駆動軸７０外径方向の移動軌跡ｃに向けて、駆動軸先端表面７０ｂ上を移動し始める。ドラムアース板７１はバネ性を有する導電部材により構成され、移動中は弾性変形を行い駆動軸先端表面７０ｂに対して軽い圧をかけながら摺動する。つまり、アーム状接点部７１ｂは、ねじれた突起７２ａの中央部とは異なる位置でねじれた突起７２ａに対して移動可能である。
【手続補正１７】
【補正対象書類名】明細書
【補正対象項目名】００９６
【補正方法】変更
【補正の内容】
【００９６】
アースホルダー７６には凹部を成す被引っ掛け部７６ｆを形成している。工程５）に示すようにドラムアース板７１の後端の押圧を解除することで、図中矢印方向の付勢力が働きドラムアース板７１の平面接点部７１ａの裏側とアースホルダー７６の平面部７６ｇの密着が可能となる。ここで工程２）に図示された寸法ｍ（アースホルダー７６後端から平面部７６ｇ間の寸法）と寸法ｎ（ドラムアース板７１後端から平面接点部７１ａ間の寸法）との関係は公差が積み重なった場合においても、ｎ≦ｍとなるように設定し、必ず前記の密着が発生する寸法関係としている。
【手続補正１８】
【補正対象書類名】明細書
【補正対象項目名】００９７
【補正方法】変更
【補正の内容】
【００９７】
またドラムアース板７１先端に具備された引っ掛け部７１ｆは、アースホルダー７６に形成された凹部を成す被引っ掛け部７６ｆと噛み合いドラムアース板７１の上方への浮きを防止することができる。ここで引っ掛け部７１ｆは凸部を後端方向に形成しているため、噛み合い時にはアースホルダー７６の凹部を成す被引っ掛け部７６ｆに収納され、駆動軸７０との電気的接続を妨げることはない。引っ掛け部７１ｆが被引っ掛け部７６ｆに引っ掛ることにより、アースホルダー７６に対するドラムアース板７１の移動が規制される。
【手続補正１９】
【補正対象書類名】明細書
【補正対象項目名】０１０５
【補正方法】変更
【補正の内容】
【０１０５】
またアースホルダー７６には、駆動側フランジ部材７２に対するアースホルダー７６の挿入方向位置決めを行う為、駆動側フランジ部材７２に設けられた引っ掛け部（フランジ引っ掛け部）７２ｅと係合する長手規制部７６ｋを有している。
【手続補正２０】
【補正対象書類名】明細書
【補正対象項目名】０１０７
【補正方法】変更
【補正の内容】
【０１０７】
工程２）から挿入していき工程３）の状態に至ると、駆動側フランジ部材７２に設けられた引っ掛け部７２ｅをアースホルダー７６が乗り越え、長手規制部７６ｋに引っ掛け部７２ｅが係合した状態で挿入完了となる。この状態において、アースホルダー７６は、駆動側フランジ部材７２の内部に係合され、駆動側フランジ部材７２内部でドラムアース板７１を保持している。またアースホルダー７６に設けられた凸部７６ｌが駆動側フランジ部材７２に設けられた凹部７２ｄと係合し、感光体ドラムユニット１の回転方向において駆動側フランジ部材７２に対するアースホルダー７６の移動が規制される。また引っ掛け部７２ｅが長手規制部７６ｋと係合し、感光体ドラムユニット１の回転方向において駆動側フランジ部材７２に対するアースホルダー７６の移動が規制される。これにより、アースホルダー７６と駆動側フランジ部材７２は同期して回転する事となる。